(57)【要約】【課題】操作の良好性やカメラの小型化を維持しつつレンズを保護できるレンズ鏡筒を提供することを課題とする。【解決手段】レンズ鏡筒１０は、非撮影時にはカメラボディ１２内に収納され、撮影時にはカメラボディ１２から延び出す第１の移動筒１６及び第２の移動筒１７を有する。第１の移動筒１６のカメラ正面側には、レンズ鏡筒１０が延び出すと空気が入れられて膨らみ、レンズ鏡筒１０が後退すると空気が引き抜かれて萎むフード４８が設けられている。これにより、カメラ使用時、すなわちレンズ鏡筒１０が延び出したときに、誤ってカメラを落下させてもフード４８が緩衝部としての役割を果たし、レンズ２４が保護される。また、フード４８を着脱させる必要がないので、操作性が良好であり、使い勝手が良い。【選択図】　　　　図１
2004117949.tif 000002
【特許請求の範囲】
【請求項１】
非撮影時にはカメラボディ内に収容され、撮影時には前記カメラボディから延び出す移動筒を有するレンズ鏡筒であって、
前記移動筒のカメラ正面側に設けられ、前記移動筒が延び出すと空気が入れられて膨らむフードと、
前記フード内への空気の出し入れを行う空気出入手段と、を有することを特徴とするレンズ鏡筒。
【請求項２】
前記フード内の空間に連通する密閉された空気室が形成され、
前記空気出入手段は、前記移動筒が延び出すと前記空気室の容積を小さくすることにより前記フードを膨らませ、前記移動筒が後退すると前記空気室の容積を大きくすることにより前記フードを萎ませることを特徴とする請求項１に記載のレンズ鏡筒。
【発明の詳細な説明】
【０００１】
【発明の属する技術分野】
本発明は、レンズの保護機能を有するレンズ鏡筒に関し、更に詳細には、特にデジタルカメラに最適で、カメラボディの小型化を維持しつつレンズを保護できるレンズ鏡筒に関する。
【０００２】
【従来の技術】
カメラを誤って落下させた場合、カメラに内蔵されているレンズが破損するおそれがある。このため、カメラ内のレンズを保護するために種々の対策が採用されている。
【０００３】
例えば、カムとピンとの勘合量を増やす対策や、所定の部材を金属化するなどの材料変更を行う対策が採られている。
【０００４】
しかし、これらの対策では、装置の大型化、重量の増大、コストの増大等の問題が生じていた。
【０００５】
また、図６に示すように、特許文献１には、空気室１０４を有するフード１０８をカメラ正面側に設けることにより、カメラ１００を誤って落下させてもこのフード１０８が地面等に衝突し、フード１０８が緩衝部として働いてレンズが保護される構造にする対策案が出されている。
【０００６】
【特許文献１】
登録実用新案第３０３６９６９号公報（第１頁〜第３頁）
【０００７】
しかし、このカメラ１００では、レンズ鏡筒１０６の正面側にフード１０８を着脱可能に設けているのでフード１０８をカメラ１００とは別体として取り扱う必要があり、しかも、使用時に空気をフード１０８内に注入する必要がある。このため、操作が煩雑であると共に、カメラ１００を使用可能状態にするまでに時間がかかるという問題があった。
【０００８】
【発明が解決しようとする課題】
本発明は、上記事実を考慮して、操作の良好性やカメラの小型化を維持しつつレンズを保護できるレンズ鏡筒を提供することを課題とする。
【０００９】
【課題を解決するための手段】
請求項１に係る発明は、非撮影時にはカメラボディ内に収容され、撮影時には前記カメラボディ（カメラケース）から延び出す移動筒を有するレンズ鏡筒であって、前記移動筒のカメラ正面側に設けられ、前記移動筒が延び出すと空気が入れられて膨らむフードと、前記フード内への空気の出し入れを行う空気出入手段と、を有することを特徴とする。
【００１０】
フードは、通常、ゴムやビニール等の変形容易性、気密性を有する材質からなるシート状部材で構成される。
【００１１】
請求項１に記載の発明により、カメラ使用時、すなわち移動筒が延び出したときに、誤ってカメラを落下させてもフードが緩衝部としての役割を果たす。従って、レンズ鏡筒に設けられたレンズに直接的に衝撃物が当接することがないので、レンズが保護される。また、フードを着脱させる必要がないので、操作性が良好であり、使い勝手が良い。
【００１２】
なお、レンズ鏡筒がカメラボディ内に収容されるときにはフードも収容されることが、デザイン性やカメラの薄型化などの観点で好ましい。また、フードは可撓性材料で構成されてもよい。
【００１３】
請求項２に係る発明は、前記フード内の空間に連通する密閉された空気室が形成され、前記空気出入手段は、前記移動筒が延び出すと前記空気室の容積を小さくすることにより前記フードを膨らませ、前記移動筒が後退すると前記空気室の容積を大きくすることにより前記フードを萎ませることを特徴とする。
【００１４】
これにより、フードを膨らませたり萎ませたりすることを簡易な機構で容易に行うことができる。
【００１５】
空気出入手段としては、例えば、空気室をシリンダとピストンとによって形成すると共に、移動筒が延び出す際にピストンが空気室内へ押し込まれる方向に移動し、移動筒がカメラボディに収容される際にピストンが空気室から引き出される方向に移動するような機構にする。これにより、空気出入手段の構造を簡易にすることができる。
【００１６】
【発明の実施の形態】
以下、実施形態を挙げ、本発明の実施の形態について説明する。
【００１７】
［第１形態］
図１〜図３に示すように、第１形態のレンズ鏡筒１０は、先端側（カメラ正面側）にリング状のフード４８が設けられた第１の移動筒１６と、第１の移動筒１６とカム係合している第２の移動筒１７と、第２の移動筒１７とカム係合している駆動筒１９と、カメラボディ１２にネジ止め等により固定され、駆動筒１９が回動可能であるように保持すると共に第２の移動筒１７を収容可能なマウント２１と、を有する。
【００１８】
第１の移動筒１６よりも第２の移動筒１７のほうが大径で、第２の移動筒１７よりもマウント２１のほうが大径であり、非撮影時では、マウント２１内に第２の移動筒１７が収容され、第２の移動筒１７内に第１の移動筒１６が収容され、カメラバリア２２が閉じた状態になる構造にされている（図３参照）。撮影時にはカメラバリア２２が開き、駆動筒１９が回転され、この駆動筒１９の回転力によって第２の移動筒１７が回転しつつ前進すると共に、第１の移動筒１６が前方へ直進する構造にされている（図１、図２参照）。
【００１９】
第１の移動筒１６内には、レンズ前群を構成する複数枚のレンズ２４Ａ、２４Ｂと、レンズ２４Ａ、２４Ｂを保持する第１レンズホルダ部３０と、が設けられている。第２の移動筒１７内には、レンズ後群を構成するレンズ２４Ｃ、２４Ｄ、２４Ｅと、レンズ２４Ｃ、２４Ｄを保持する第２レンズホルダ部２８と、レンズ２４Ｅを保持する第３レンズホルダ部２６と、が設けられ、第２レンズホルダ部２８は第２の移動筒１７にカム係合している。
【００２０】
また、マウント２１には、第１の移動筒１６及び第２の移動筒１７が収容される際に後述の回動部材３８に当接する棒部４０が設けられており、第２レンズホルダ部２８及び第３レンズホルダ部２６には、棒部４０が挿通する挿通孔４４、４６がそれぞれ形成されている。
【００２１】
第１の移動筒１６のカメラ正面側には、第１レンズホルダ部３０の外側（すなわちレンズ２４Ａの外側）にリング状の上述のフード４８が設けられ、フード４８の内側（背面側）には第１空気室５２が形成されている。また、第１の移動筒１６には、第１空気室５２に連通する第２空気室５４が形成されている。そして、レンズ鏡筒１０は、第２空気室５４内へ進退動することにより第２空気室５４の容積を変化させるピストン５６と、第２空気室５４の壁面を形成しているシリンダ部５８と、を有する。
【００２２】
第１の移動筒１６には、先端部でピストン５６に遊嵌している略ブーメラン状の回動部材３８と、第１の移動筒１６の後端部と回動部材３８の後端部とを接続する引張コイルバネ６０と、が設けられている。回動部材３８は回動軸３９の回りに回動可能になっており、回動部材３８が回動することによりピストン５６がシリンダ部５８内で進退動する。
【００２３】
そして、上述のフード４８は第１レンズホルダ部３０に密封されて取付けられており、第１空気室５２及び第２空気室５４は、互いに連通しかつ密封された状態になっている。
【００２４】
以下、フード４８が膨らんだり萎んだりする作用を説明する。
【００２５】
図３に示すように、レンズ鏡筒１０がカメラボディ１２に収納されている場合（沈胴状態の場合）、棒部４０が挿通孔４６、４４を挿通して回動部材３８に当接し、回動部材３８はＲ方向に回動した状態になっている。この結果、回動部材３８によってピストン５６が第１の移動筒１６の中心軸方向へ引っ張られて移動し、第２空気室５４の容積が広げられている。
【００２６】
これにより、第１空気室５２の大部分の空気が第２空気室５４に移動し、フード４８が萎んだ状態になっている。従って、カメラバリア２２と第１レンズホルダ部３０との間に大きな隙間を形成する必要はなく、カメラボディ１２の薄型化に悪影響を及ぼすことはない。
【００２７】
カメラバリア２２が開いて、図１、図２に示すようにレンズ鏡筒１０が前方へ延び出した場合（撮影状態の場合）、棒部４０が回動部材３８に当接せず、引張コイルバネ６０によって回動部材３８がＬ方向へ回動した状態になる。この結果、ピストン５６が押圧され、第２空気室５４の容積が縮められている。
【００２８】
これにより、第２空気室５４の大部分の空気が第１空気室５２に移動し、フード４８が膨らんだ状態になっている。従って、誤ってカメラを落下させてもフード４８が緩衝部として作用するので、レンズ２４に衝撃が加えられて破損することを回避できる。また、レンズ鏡筒１０の延び出し初期段階で回動部材３８がピストン５６を押圧するので、延び出し初期段階でフード４８が膨らんでレンズ２４が保護されている。
【００２９】
［第２形態］
次に、第２形態について説明する。第２形態では、第１形態と同様の構成要素には同じ符号を付してその説明を省略する。
【００３０】
図４、図５に示すように、第２形態のレンズ鏡筒７０は、先端側にリング状のフード４８が設けられた第１の移動筒７８と、第１の移動筒７８とカム係合している第２の移動筒７６と、第２の移動筒７６とカム係合している駆動筒７９と、カメラボディ（図示せず）にネジ止め等により固定され、駆動筒７９が回動可能であるように保持すると共に第２の移動筒１７を収容可能なマウント８１と、を有する。
【００３１】
非撮影時では、マウント８１内に第２の移動筒７６が収容され、第２の移動筒７６内に第１の移動筒７８が収容され、カメラバリア（図示せず）が閉じた状態になる構造にされている（図５参照）。撮影時にはカメラバリアが開き、駆動筒７９が回転され、この駆動筒７９の回転力によって第２の移動筒７６が回転しつつ前進すると共に、第１の移動筒７８が前方へ直進する構造にされている（図４参照）。
【００３２】
また、レンズ鏡筒７０は、フード４８の背面側の第１空気室５２に連通する第２空気室７５を、第１形態で説明した第２空気室５４に代えて備えている。第２空気室７５は、伸縮可能な構成にされた接続配管８０によって第１空気室５２に連通している。そして、レンズ鏡筒７０には、第２空気室７５内に進退動することにより第２空気室７５の容積を変化させるピストン８６と、第２空気室７５の壁面を形成しているシリンダ部８８と、ピストン８６に取付けられてピストン８６に進退動力を伝達するカム棒９０と、が設けられている。
【００３３】
このような構成により、第１空気室５２及び第２空気室７５は密封された状態になっている。
【００３４】
また、駆動筒７９の外周側には、平面視略斜め直線状のカム溝９４が形成されており、カム棒９０はカム溝９４に案内されてレンズ鏡筒７０の進退方向と同方向に進退動するようになっている。
【００３５】
図５に示すように、レンズ鏡筒７０がカメラボディに収納される場合（沈胴状態になる場合）、駆動筒７９がＰ方向に回転した結果、カム溝９４に案内されたカム棒９０によりピストン８６が引っ張られ、第２空気室７５の容積が広くなっている。これにより、第１空気室５２の大部分の空気が第２空気室７５に移動し、フード４８が萎んだ状態になる。
【００３６】
図４に示すように、レンズ鏡筒７０が前方向へ延び出す場合（撮影状態になる場合）、駆動筒７９がＱ方向に回転した結果、カム棒９０によってピストン８６がシリンダ部８８内へ押圧され、第２空気室７５の容積が縮められる。これにより、第２空気室７５の大部分の空気が第１空気室５２に移動し、フード４８が膨らんだ状態になる。従って、誤ってカメラを落下させてもフード４８が緩衝部として作用するので、カメラ７０に取付けられているレンズ（例えばレンズ２４Ａ）に衝撃が加えられることを回避できる。
【００３７】
このように、第２形態では、駆動筒７９の回動によって第２空気室７５の容積を変化させており、駆動筒７９の回動力を有効に利用している。
【００３８】
以上、実施形態を挙げて本発明の実施の形態を説明したが、これらの実施形態は一例であり、要旨を逸脱しない範囲内で種々変更して実施できる。また、本発明の権利範囲が上記実施形態に限定されないことは言うまでもない。
【００３９】
【発明の効果】
本発明は上記構成としたので、以下の効果を奏することができる。
【００４０】
請求項１に係る発明によれば、カメラ使用時、すなわち移動筒が延び出したときに、誤ってカメラを落下させてもフードが緩衝部としての役割を果たす。従って、レンズ鏡筒に設けられたレンズに直接的に衝撃物が当接することがないので、レンズが保護される。また、フードを着脱させる必要がないので、操作性が良好であり、使い勝手が良い。
【００４１】
請求項２に係る発明によれば、フードを膨らませたり萎ませたりすることを簡易な機構で容易に行うことができる。
【図面の簡単な説明】
【図１】第１形態のレンズ鏡筒を示す側面断面図である（レンズ鏡筒が延び出している状態）。
【図２】第１形態のレンズ鏡筒を示す部分斜視図である（レンズ鏡筒が延び出している状態）。
【図３】第１形態のレンズ鏡筒を示す側面断面図である（レンズ鏡筒がカメラボディ内に収納された状態）。
【図４】第２形態のレンズ鏡筒を示す部分斜視図である（レンズ鏡筒が延び出している状態）。
【図５】第２形態のレンズ鏡筒を示す部分斜視図である（レンズ鏡筒がカメラボディ内に収納された状態）。
【図６】従来のカメラの平面図である。
【符号の説明】
１０　レンズ鏡筒
１２　カメラボディ
１６　第１の移動筒（移動筒）
１９　駆動筒（空気入出手段）
３８　回動部材（空気入出手段）
４０　棒部（空気入出手段）
４８　フード
５４　第２空気室（空気室）
５６　ピストン（空気入出手段）
５８　シリンダ部（空気入出手段）
６０　引張コイルバネ（空気入出手段）
７０　レンズ鏡筒
７５　第２空気室（空気室）
７８　第１の移動筒（移動筒）
８６　ピストン（空気入出手段）
８８　シリンダ部（空気入出手段）
９０　カム棒（空気入出手段）
７９　駆動筒（空気入出手段）
９４　カム溝（空気入出手段）
１０４　空気室
１０６　レンズ鏡筒
１０８　フード
【図１】
2004117949.tif 000003
【図２】
2004117949.tif 000004
【図３】
2004117949.tif 000005
【図４】
2004117949.tif 000006
【図５】
2004117949.tif 000007
【図６】
2004117949.tif 000008